(57)【要約】【課題】  エッジを検出し、より自然にエッジ補正処理を行なう信号処理装置を提供する。【解決手段】  映像信号中の現在着目している画素と前記画素を中心とした周辺の映像信号との相関性を抽出する相関性抽出手段と、前記抽出結果によって前記周辺の映像信号を変更する信号変更手段と、前記抽出結果から算出してエッジを構成する画素数を決定する構成画素決定手段とで成され、相関性を抽出して同一のエッジと認識したものは途中エッジと認識されない部分があっても同一のエッジ処理を行い、逆に一部だけエッジと認識され、あとは認識されない部分であるものではエッジ処理を行わない動作をする。  また、前のフィールドでの映像信号を保持する手段を追加することでフィールド間の相関性を抽出してエッジ処理を行い、フィールド間でのエッジ処理結果の差を抑える動作をする。【選択図】図1
2009253483.tif 000002
【特許請求の範囲】
【請求項１】
入力された映像信号を処理する信号処理装置であって、
前記入力映像信号の特定の画素と前記画素を中心とした周辺の画素との相関性を抽出し、前記入力映像信号のエッジを構成するエッジ構成画素数を算出する相関性抽出手段と、
前記相関性抽出手段により算出された、前記入力映像信号のエッジを構成する画素数に基づいて、前記入力映像信号のエッジ構成画素と置き換える置換映像信号を生成する構成画素決定手段と、
前記相関性抽出手段及び前記構成画素決定手段により、前記入力映像信号にエッジ補正処理を施す第１のエッジ補正手段とを有することを特徴とする信号処理装置。
【請求項２】
請求項１に記載の信号処理装置であって、
前記構成画素決定手段は、前記相関性抽出手段により算出された前記入力映像信号のエッジを構成するエッジ構成画素数に応じて、エッジ強度が段階的に強く、あるいは弱くなるように、前記置換映像信号のエッジ構成画素数を変化させることを特徴とする信号処理装置。
【請求項３】
請求項１又は請求項２いずれか１項に記載の信号処理装置であって、
前記第１のエッジ補正手段と異なる第２のエッジ補正手段と、
前記入力映像信号のエッジ補正を行なう際、前記第１のエッジ補正手段と前記第２のエッジ補正手段とを選択する選択手段とを有することを特徴とする信号処理装置。
【請求項４】
請求項１から請求項３いずれか１項に記載の信号処理装置であって、
前記入力映像信号に拡大処理を施し、拡大映像信号を生成する拡大信号生成手段を有し、
前記第１のエッジ補正手段は前記拡大映像信号に対してもエッジ補正処理を行なうことを特徴とする信号処理装置。
【請求項５】
請求項４に記載の信号処理装置であって、
前記構成画素決定手段は、前記拡大映像信号の各エッジ部分のエッジを構成する画素数を、前記入力映像信号でのエッジを構成する画素数と同一とすることを特徴とする信号処理装置。
【請求項６】
請求項５に記載の信号処理装置であって、
前記相関性抽出手段は入力さえた前記映像信号をフィールド単位に遅延させるフィールド遅延手段を設け、時間軸方向の相関性を抽出してフィールド間でのエッジ補正の強度をそろえることを特徴とする信号処理装置。
【請求項７】
請求項６に記載の信号処理装置であって、
前記相関性抽出手段は、垂直方向のエッジには水平方向に並ぶ画素を参照し、水平方向のエッジには垂直方向に並ぶ画素を参照する手段を有し、垂直方向のエッジ補正も行なうことを特徴とする信号処理装置。
【発明の詳細な説明】
【技術分野】
【０００１】
本発明はビデオカメラ、またはデジタルスチルカメラ等の機器において、画像信号処理に関する。
【背景技術】
【０００２】
特許文献１は「回路規模を増大させることなく、デジタル画像の鮮鋭度を改善する補間装置を提供する」ことを課題とし、「メモリ手段から出力されるデジタル画像信号は、補間手段に供給されてサンプルの線形補間がなされるとともに、エッジ検出手段に供給されてデジタル画像信号のエッジが検出される。補間手段では、エッジ検出手段がデジタル画像信号のエッジを検出した期間にエッジ信号を生成し、混合手段がこのエッジ信号と補間手段からのデジタル画像信号とを所望の比率で混合する。選択手段は、エッジ検出手段でエッジが検出されたときには、混合手段からのデジタル画像信号を選択し、それ以外の期間では、補間手段からのデジタル画像信号を選択する」という解決手段を用いることが記載されている。
【特許文献１】特開２００４−２０８０４１号公報
【発明の開示】
【発明が解決しようとする課題】
【０００３】
従来の信号処理装置では、エッジ補正処理をするためにエッジ部分を判別する場合、エッジと認識されたところと、認識されなかったところの信号処理方法が異なり処理結果の差が激しく、かえって画質を悪くしてしまうという問題があった。
【０００４】
また、本来ならばエッジとして検出しエッジ補正をすべき箇所が、例えばエッジ構成画素数などの違いによってエッジとして認識されず、同一のエッジ上で不連続にエッジ補正が行なわれ、かえって画質を悪くしてしまうという問題があった。
【０００５】
また、ビデオカメラ、または、デジタルスチルカメラにおいて、信号処理にて拡大効果を得る機能である電子ズームが必須機能となっており、レンズによる拡大とあわせると高倍率な画像を得ることができる。
しかしながら、電子ズームの倍率を上げていくと信号処理によって多くの画素を補間しているので全体的に解像度は落ちてしまう。また、解像感を落とさないように画像のエッジ部分を強調するようにしても、例えばエッジ部分の傾斜や、エッジを構成する画素数などの違いによって微妙にエッジと判定されない部分が存在し、正しく強調しきれないという問題がある。
しかし、特許文献１では以上の課題を一切考慮していなかった。
【課題を解決するための手段】
【０００６】
上記課題は、その一例として特許請求の範囲に記載の構成により改善される。
【発明の効果】
【０００７】
本発明によれば、より適切に自然なエッジ補正を行なうことが可能な情報処理装置を提供することができる。
【発明を実施するための最良の形態】
【０００８】
上記の発明を実現する為の実施例について説明する。
【実施例１】
【０００９】
図1、２、３、４、５を用いて第1の実施例について説明する。図１は本発明を用いた撮像装置の一例を示した図である。図２はエッジ判定方法を説明した図、図３は相関関係の抽出方法を説明した図である。図1において１はレンズ、２は光電変換する撮像素子、３は撮像素子の出力に信号処理を施す信号処理部、４、５，６，７，８は映像信号を一水平期間分遅延させる１H遅延部、９は１H遅延部４，５，６，７，８の出力を参照して相関性を抽出し、各１H遅延部の出力中に存在する相関のあるエッジの構成画素数と、エッジ開始位置とエッジ終了位置の信号値を出力する相関性抽出部、１０は相関性抽出部９が出力する各構成画素数から、現在注目している１H遅延部６の出力中に存在する相関のあるエッジを補正するため注目している画素の周辺信号として用いる置き換え信号と選択信号を出力する構成画素決定部、１１は水平方向に一般的に知られる従来のエッジ補正を施す従来エッジ補正部、１２は構成画素決定部１０が出力する選択信号に基づき従来エッジ補正部１１の出力と前記置き換え信号を選択して出力する選択部である。
【００１０】
接続はレンズ１は撮像素子２の受光面に結像し、撮像素子２は光電変換した信号を信号処理部３の入力に接続し、信号処理部３の出力は１H遅延部４の入力に接続し、１H遅延部４の出力は相関性抽出部９と１H遅延部５の入力に接続し、１H遅延部５の出力は相関性抽出部９、１H遅延部６の入力に接続し、１H遅延部６の出力は相関性抽出部９、１H遅延部７の入力に接続し、１H遅延部７の出力は相関性抽出部９と１H遅延部８の入力に接続し、１H遅延部８の出力は相関性抽出部９の入力に接続し、相関性抽出部９の各出力は構成画素決定部１０のそれぞれの入力に接続する。構成画素決定部１０のそれぞれの出力は、選択部１２のそれぞれの入力に接続する。また、１H遅延部６の出力は従来エッジ補正部１１の入力にも接続し、従来エッジ補正部１１の出力は選択部１２の入力に接続する。
【００１１】
動作について説明する。レンズ１が結像した像に応じて撮像素子２は電気信号を出力する。この信号は信号処理部３にて信号処理を施した後に１H遅延部４、５、６、７、８の順に信号が伝わり、その結果５ライン分の映像信号が常に出力される。相関性抽出部９は、１H遅延部４、５、６、７、８の出力信号から相関性を抽出してどのようなパターンのエッジが存在するのかを抽出し、各ラインでそのエッジが構成されている画素数を出力する。構成画素決定部１０は、各ラインのエッジ構成画素数とエッジ開始位置とエッジ終了位置の信号値から現在注目している１H遅延部６の出力に施すエッジ補正に用いる置き換え信号を生成する。そのとき構成画素決定部１０は、入力された映像信号のエッジを構成する画素数に応じて、置き換え信号のエッジ構成画素数を変化させ、エッジ補正の強度が段階的に強く、あるいは弱くなるように信号値を算出する。また、構成画素決定部１０は選択部１２にて前記置き換え信号を選択する極性の信号である選択信号も生成する。選択部１２は前記選択信号にて置き換え信号を選択して出力する。
【００１２】
ここで相関性抽出部９の相関抽出について図３を用いて詳しく説明する。ここでは説明の簡略化のため、縦５ライン横５画素を用いた例を示すが、他のサイズであっても問題ないことは言うまでもない。注目画素を中心とした縦５ライン横５画素の範囲にて参照する。たとえば、縦５ライン横５画素の範囲にて存在する縦エッジ、横エッジは中心画素を基準に８方向となり、特殊な場合を除き、図３中の（Ａ）〜（Ｈ）のパターンになる。ここで実際に、中心画素と同様の信号量である画素を上記範囲内で抽出した結果を重ね合わせ一番近いパターンを決定する。このようにすると、エッジの検出にて条件を僅かに満足できずエッジと判断されない部分があっても、図３中の（Ａ）〜（Ｈ）のパターンにて修正を行うためエッジがあると判断される。次に相関性抽出部９は決定した一番近いパターンを参照してエッジの左右の画素を抽出して各ラインのエッジの構成画素数を出力する。
【００１３】
ここで相関性抽出部９の構成画素数の検出ついて図２を用いて説明する。この例はエッジ判定の簡単な一つの方法であり、他の方法でもエッジ判定が可能である。図２において黒丸は周期Tにてサンプリングされた元データ、αは平坦幅である。エッジは多くの場合、２つの平坦部分の間にスロープ部分が挟まれている構成になっている。まず、中心画素から左右方向の隣接画素の信号値を参照する。このとき右方向の隣接画素が中心画素より信号値が大きければ、左方向の隣接画素は中心画素より小さい、あるいは、右方向の隣接画素が中心画素より信号値が小さければ、左方向の隣接画素は中心画素より大きいという関係であることを検出する。この関係はスロープである限り中心画素から左右方向へ離れた画素に推移しても変わらない。この関係が崩れたとき、あるいは画素間の信号値の差分がαで定めた値以下になったときにスロープは終了したと考え、そのときに調査していた２つの画素よりも１画素ずつ中心画素側の画素間を構成画素数とする。また、前記構成画素数と最後に調査していた２つの画素の信号値をエッジ開始位置とエッジ終了位置の信号値としてスロープの中心画素のタイミングで構成画素決定部１０に送る。例えばエッジ構成が３画素の場合２画素目に、４画素の場合は２画素目のタイミングで送る。
【００１４】
ここで、上述の方法によりエッジ判定をする際の、信号値の定義について説明する。まず、信号は信号処理部３から出力され、各画素における信号値の変化量によって、構成画素決定部１０でエッジ判定が行なわれる。本実施例では一例として、信号値として以下の３つを定義する。
（１）輝度・・・・・明るさの強度を示す信号量
（２）色・・・・・・各色成分の強度を示す信号量（R,G,Bまたは補色または色差信号）
（３）センサ出力・・色フィルタごとの電荷の蓄積量の強度を示す信号量
また、本実施例では一例として、上記３つの信号値のうち、少なくともひとつの信号値の変化量でエッジ判定がされたならば、構成画素決定部１０はエッジとして判定するものとする。
【００１５】
次に図４、５を用いて構成画素決定部１０と選択部１２の動作について説明する。ここでは説明の簡略化のためエッジ構成要素である画素数を７画素としたときの動作を説明する。他の画素数にて構成されたエッジについても同様の動作が可能なことは言うまでもない。１３は画素周期のクロック、１４は構成画素決定部１０が出力する選択信号、１５は構成画素決定部１０が出力する置き換え信号である。選択部１２は、構成画素決定部１０の結果にて中心画素より左側の画素は相関性抽出部９が出力するエッジ開始位置の信号値、右側の画素はエッジ開始位置の信号値を用いて置き換えていく。図４（Ａ）に示す白丸部分が置き換えられたエッジ開始位置の信号値、２重丸部分が置き換えられたエッジ終了位置の信号値を示す。このようにエッジを強調した信号を生成する。また、図５（Ｂ）は相関性抽出部９の出力する各ラインのエッジ構成画素数を考慮して段階的にエッジ処理の強度を弱くした例である。構成画素決定部１０は置き換え信号としてエッジ開始位置の信号値とエッジ終了位置の信号値のほかに図中の黒塗りひし形、白抜きひし形で表したタイミングで中心画素とエッジ開始位置の信号値との中間値と、中心画素とエッジ終了位置の信号値との中間値を出力する。
【００１６】
ここで図６、７，８，９を用いて構成画素決定部１０の動作の一例を説明する。図６、７の（Ａ）は相関性抽出部９が出力するラインごとの構成画素数、（Ｂ）は構成画素決定部１０が決定した処理後の画素数を示している。図８、９の（Ａ）は相関性抽出部９が出力するラインごとの構成画素数、（Ｂ）は従来のエッジ補正処理後の画素数、（C）は構成画素決定部１０が決定した処理後の画素数を示している。いずれの図もエッジ構成画素数が１０画素以下のときに本来のエッジ構成画素の半分の構成画素にする処理を行ったときについてのものである。図６（Ａ）においては入力中心のラインのエッジ構成画素が１２画素となっており、１０画素を越えているためエッジを本来のエッジ構成画素の半分の構成画素にする処理から外れることになるが相関性抽出部９にて同一のエッジであることが判明しているため、構成画素決定部１０はエッジ処理を適用すると判断し、図６（Ｂ）のようにより自然なエッジ補正を行う。図７（Ａ）は図６（Ａ）の逆の例であり、中心のライン以外はエッジ処理の対象外となっている例である。この場合、相関性抽出部９にて同一のエッジであることが判明しているため、構成画素決定部１０は中心のラインをエッジ処理から外すと判断し、図７（Ｂ）のようにより自然な画像処理を行う。図８（Ａ）は画像の下方向になるにつれてエッジ構成画素が少なくなる例である。この場合中心のラインと、中心のラインより下に位置するラインの構成画素は閾値の１０画素を下回っている。そのため図８（Ｂ）のようにエッジ処理を適用するが、エッジ処理を適用していない中心ラインより上に位置するラインとのエッジ構成画素数に開きがありすぎる。そのため構成画素決定部１０は、図８（Ｃ）のように中心ラインと、そのひとつ上に位置するラインのエッジ構成画素を、画像の下方向になるにつれて段階的にエッジ構成画素を少なくするようにし、より自然なエッジ補正を行う。図９（Ａ）は図８(Ａ)の逆の例であり、画像の下方向になるにつれてエッジ構成画素が多くなる例である。この場合中心のラインと、中心のラインより上に位置するラインの構成画素は閾値の１０画素を下回っている。そのため図９（Ｂ）のようにエッジ処理を適用するが、エッジ処理を適用していない中心ラインより下に位置するラインとのエッジ構成画素数に開きがありすぎる。そのため構成画素決定部１０は、図９（Ｃ）のように中心ラインと、そのひとつ下に位置するラインのエッジ構成画素を、画像の下方向になるにつれて段階的にエッジ構成画素を多くするようにし、より自然なエッジ補正を行う。
【００１７】
以上の動作によってエッジの検出にて条件を僅かに満足できずエッジと判断されない部分があり、エッジ検出された部分とされない部分が垂直方向に交互に現れるところがあったとしても良好にエッジを強調した信号を生成することができ、自然なエッジ強調をおこなった画像を得ることができる。
【実施例２】
【００１８】
図１０、１１、１２を用いて第２の実施例を説明する。第２の実施例は図１の実施例に補間部を新たに設け拡大処理機能を追加した例であり、補間後のエッジを強調することを目的としている。図１０は本実施例のブロック図、図１１は水平２倍拡大時の１H遅延部４，５，６，７，８の信号読み出しを示した図、図１２は拡大処理にてエッジ強調を行ったエッジのグラフである。図１０中の１７は補間部、１８はシステム全体の動作を制御するマイコン、１９は３入力の選択部である。
【００１９】
接続はマイコン１８の３個の出力のうち、ひとつは撮像素子２、信号処理部３、１H遅延部４，５，６，７，８の入力にそれぞれ接続し、もうひとつの出力は補間部１７の入力に接続し、残りのひとつは構成画素決定部１０の入力に接続する。また、補間部１７は水平遅延部１１と選択部１９の間に新たに設けたルートに配置している。
【００２０】
図１１において２０は１H遅延部４，５，６，７，８の読み出しを止める読み出し停止パルス、２１、２２，２３，２４，２５は読み出し停止パルス２０によって読み出しを止める動作をした１H遅延部４，５，６，７，８の出力である。図１２において黒丸は元データ、三角は線形補間によって生成した補間データ、２重丸、白丸は本実施例にて生成した置き換え信号であり、白丸は相関性抽出部９が出力するエッジ開始位置の信号値、２重丸はエッジ開始位置の信号値である。２６は構成画素決定部１０が出力する選択信号、２７は構成画素決定部１０が出力する置き換え信号であり２重丸で示す信号ある。
【００２１】
動作について説明する。１H遅延部４，５，６，７，８はマイコン１８が出力する読み出し停止パルス２０によって図１１に示すとおり２画素の時間で１画素の信号読み出しを行う。従来の線形補間を行う補間部１７は（Ｄ2_ｎ）、（Ｄ2_ｎ＋１）と連続した信号を元に下記に示す式で補間データを求める。その結果が図８中の三角で示すデータである。他の動作は図１の実施例と同様である。
補間データ  ＝  ｛（Ｄ2_ｎ）＋（Ｄ2_ｎ＋１）｝／２
このとき構成画素決定部１０が出力する選択信号２６によって、エッジ開始位置の信号値、あるいはエッジ終了位置の信号値と補間データを選択しながら出力するとエッジ強調された太実線が生成される。また、このとき構成画素決定部１０が相関性抽出部９の出力に従って、置き換え信号として段階的にエッジ強調を弱めたり、強めたりする信号を出力したときは第１の実施例と同様に動作する。
以上の動作によって拡大処理のエッジの検出にて条件を僅かに満足できずエッジと判断されない部分があり、エッジ検出された部分とされない部分が垂直方向に交互に現れるところがあったとしても良好にエッジを強調した信号を生成することができ、自然なエッジ強調をおこなった画像を得ることができる。
【実施例３】
【００２２】
図１３を用いて第３の実施例について説明する。第３の実施例は第２の実施例の構成画素決定部１０が出力する置き換え信号は、拡大処理後の各エッジの構成する画素数は、入力される映像信号の各エッジ部分のエッジを構成する画素数と同一となるように置き換え信号を生成した例である。図１３において２８は構成画素決定部１０が出力する選択信号、２９は構成画素決定部１０が出力する置き換え信号であり、２重丸とひし形で示した信号ある。また、黒丸は元データを示す。入力される映像信号のエッジは黒丸で表していて、ここでは５画素である。補間後のエッジも５画素で構成されるように構成画素決定部１０は２８で示すタイミングで置き換え信号を出力する。２重丸はエッジ開始位置の信号値、またはエッジ終了位置の信号値であり、ひし形はエッジ開始位置の信号値と中心となる元データの平均値、または、エッジ終了位置の信号値と中心となる元データの平均値である。
【００２３】
以上の動作によって拡大処理のエッジ構成画素数は入力される映像信号の各エッジ部分のエッジ構成画素数と同一とすることができ、自然なエッジ強調をおこなった画像を得ることができる。
【実施例４】
【００２４】
図１４を用いて第４の実施例について説明する。図１４は図１の実施例のブロック図に１Ｈ遅延部４，５，６，７，８の出力を１フィールド遅延させる手段であるフィールド遅延部３０を追加し、相関性抽出部を前記フィールド遅延部３０の出力を用いてフィールド間の相関性を抽出する相関性抽出部３１に変更した例である。
【００２５】
接続は１Ｈ遅延部４，５，６，７，８の出力をフィールド遅延部３０の入力に接続し、フィールド遅延部３０の出力を相関性抽出部３１の新たな入力に接続している。
【００２６】
動作について説明する。相関性抽出部３１は１Ｈ遅延部４，５，６，７，８の出力のあるポイントの信号がフィールド遅延部３０の出力のどこに存在するかを検出する。検出方法は例えば１Ｈ遅延部４，５，６，７，８の出力のあるポイントの信号量とフィールド遅延部３０の出力の差分をとり、結果の絶対値が一番小さいところがフィールド遅延部３０の出力でのポイントとなる。このポイント同士のずれをフィールド遅延部３０の読み出しタイミングを変えることで修正する。このようにして位置を修正したそれぞれの画像にて個別に相関性を抽出し、図３中の（Ａ）〜（Ｈ）のパターンの中で一番近いパターンを選定する。この後は第１の実施例と同様の動作で、１フィールドの時間差を持つ２つの画像のエッジ構成画素数が決まる。ここでそれぞれのエッジ構成画素数が異なった場合は例えば２つの平均値をとり、最終のエッジ構成画素数とする。
【００２７】
以上の動作によってフィールド間で画像データの信号量に微妙な違いが生じていても、フィールド間のエッジを構成する画素数の例えば平均値をとることでフィールド間のエッジ補正の違いによるフリッカーの発生を抑えることができ、自然なエッジ強調をおこなった画像を得ることができる。また、ここでは最終のエッジ構成画素数を各フィールドのエッジを構成する画素数の平均値をとることで求めたが、別の数式によって求めても本質的に同様の効果が得られることは言うまでもない。
【実施例５】
【００２８】
図３、図１５、１６、１７を用いて第５の実施例について説明する。第５の実施例は第１の実施例の相関性抽出部９と構成画素決定部１０の動作を垂直方向のエッジにも有効にした例である。相関性抽出部９は相関性の抽出結果が図３（Ｄ）、（Ｅ）、（Ｆ）であったときに垂直方向のエッジを強調すると判断し、図１の実施例で説明した相関性抽出部９の動作を９０度回転させたような動作をする。構成画素決定部１０には５本分の縦方向のエッジを構成する画素数と、エッジ開始位置の信号値とエッジ終了位置の信号値を出力する。５図１５、１６の（Ａ）は相関性抽出部９が出力する画素ごとのエッジを構成する画素数、（Ｂ）は構成画素決定部１０が決定した処理後の画素数を示している。図１７の（Ａ）は相関性抽出部９が出力する画素ごとの構成画素数、（Ｂ）は従来のエッジ補正処理処理後の画素数、（C）は構成画素決定部１０が決定した処理後の画素数を示している。いずれの図もエッジ構成画素数が４画素以下のときに本来のエッジ構成画素の半分の構成画素にする処理を行ったときについてのものである。図１５（Ａ）においては入力中心の画素のエッジ構成画素が５画素となっており、４画素を越えているためエッジを本来のエッジ構成画素の半分の構成画素にする処理から外れることになるが相関性抽出部９にて同一のエッジであることが判明しているため、構成画素決定部１０はエッジ処理を適用すると判断し、図１５（Ｂ）のようにより自然なエッジ補正を行う。図１６（Ａ）は図１５（Ａ）の逆の例であり、中心の画素以外はエッジ処理の対象外となっている例である。この場合、相関性抽出部９にて同一のエッジであることが判明しているため、構成画素決定部１０は中心のラインをエッジ処理から外すと判断し、図１６（Ｂ）のようにより自然な画像処理を行う。図１７（Ａ）は画像の右方向になるにつれてエッジ構成画素が少なくなる例である。この場合中心の画素と、中心の画素より右に位置するラインの構成画素は閾値の４画素を下回っている。そのため図１７（Ｂ）のようにエッジ処理を適用するが、エッジ処理を適用していない中心画素より左に位置する画素とのエッジ構成画素数に開きがありすぎる。そのため構成画素決定部１０は、図１７（Ｃ）のように中心画素と、そのひとつ左に位置する画素のエッジ構成画素を、画像の右方向になるにつれて段階的にエッジ構成画素を少なくするようにし、より自然なエッジ補正を行う。
【図面の簡単な説明】
【００２９】
【図１】第１の実施例を説明した図
【図２】エッジの構成を説明した図
【図３】エッジパターンを説明した図
【図４】エッジ生成部の動作を説明した図
【図５】エッジ生成部の動作を説明した図
【図６】構成画素決定部の動作を説明した図
【図７】構成画素決定部の動作を説明した図
【図８】構成画素決定部の動作を説明した図
【図９】構成画素決定部の動作を説明した図
【図１０】第２の実施例を説明した図
【図１１】第２の実施例にて１H遅延部の読み出しを説明した図
【図１２】第２の実施例にてエッジ生成部の動作を説明した図説明した図
【図１３】第３の実施例にてエッジ生成部の動作を説明した図説明した図
【図１４】第４の実施例を説明した図
【図１５】構成画素決定部の動作を説明した図
【図１６】構成画素決定部の動作を説明した図
【図１７】構成画素決定部の動作を説明した図
【符号の説明】
【００３０】
１  ・・・・・・・・・・・・レンズ
２  ・・・・・・・・・・・・撮像素子
３  ・・・・・・・・・・・・信号処理部
４，５，６，７，８  ・・・・１H遅延部
９、３１・・・・・・・・・・相関性抽出部
１０・・・・・・・・・・・・構成画素決定部
１１・・・・・・・・・・・・従来エッジ補正部
１２，１９・・・・・・・・・選択部
１３・・・・・・・・・・・・クロック
１４，２６、２８・・・・・・選択信号
１５，１６、２７、２９・・・置き換え信号
１７・・・・・・・・・・・・補間部
１８・・・・・・・・・・・・マイコン
２０・・・・・・・・・・・・読み出し停止パルス
２１・・・・・・・・・・・・１H遅延部４の読み出し信号
２２・・・・・・・・・・・・１H遅延部５の読み出し信号
２３・・・・・・・・・・・・１H遅延部６の読み出し信号
２４・・・・・・・・・・・・１H遅延部７の読み出し信号
２５・・・・・・・・・・・・１H遅延部８の読み出し信号
３０・・・・・・・・・・・・フィールド遅延部
【図１】
2009253483.tif 000003
【図２】
2009253483.tif 000004
【図３】
2009253483.tif 000005
【図４】
2009253483.tif 000006
【図５】
2009253483.tif 000007
【図６】
2009253483.tif 000008
【図７】
2009253483.tif 000009
【図８】
2009253483.tif 000010
【図９】
2009253483.tif 000011
【図１０】
2009253483.tif 000012
【図１１】
2009253483.tif 000013
【図１２】
2009253483.tif 000014
【図１３】
2009253483.tif 000015
【図１４】
2009253483.tif 000016
【図１５】
2009253483.tif 000017
【図１６】
2009253483.tif 000018
【図１７】
2009253483.tif 000019